(57)【要約】  【課題】  接極子ブロックの回転により電磁石ブロックに位置ずれが発生するのを防止し、諸特性を安定させる。  【解決手段】  中空の巻回部、この両端に設けられる鍔部１０１，１０１、これらの内部に挿入され両端部１１１，１１１が鍔部１０１，１０１から突出する鉄芯１１、巻回部の外周面に巻回されるコイル１２を含む電磁石ブロック１と、一方の端部１１１、他方の端部１１１に対し鉄芯１１の両側から対向配置される鉄板３１，３１、これらの間に配置される永久磁石を保持する接極子ブロック３と、電磁石ブロック１が組み付けられるとともに両端部１１１，１１１の間を貫く軸を回転軸として、端部１１１，１１１に対し鉄板３１，３１が回転自在に対向して接離するように接極子ブロック３が組み付けられる本体ベース７とにより電磁リレーを構成する。本体ベース７自体で、回転軸の一方から見て、一の方向に沿う鍔部１０１の両側を固定する。【選択図】図１
2005050655.tif 000002
【特許請求の範囲】
【請求項１】
一の方向に伸びる中空の巻回部、この巻回部の両端にそれぞれ設けられる一対の鍔部、前記中空の巻回部および前記一対の鍔部内に挿入され両端部が前記一対の鍔部から突出する鉄芯、および前記巻回部の外周面に巻回されるコイルを含む電磁石ブロックと、
前記鉄芯の一方の端部および他方の端部に対してそれぞれ前記一の方向に沿う前記鉄芯の両側から対向配置される一対の磁性体、およびこれら一対の磁性体間に配置される永久磁石を保持する接極子ブロックと、
前記電磁石ブロックが組み付けられるとともに、前記鉄芯の両端部の間を貫く軸を回転軸として、前記鉄芯の一方の端部および他方の端部に対してそれぞれ前記一対の磁性体が回転自在に対向して接離するように前記接極子ブロックが組み付けられる本体ベースと
を備え、
前記本体ベース自体が、前記回転軸の一方から見て、前記一の方向に沿う前記鍔部の両側を固定していることを特徴とする電磁リレー。
【請求項２】
前記本体ベースの一の面に組み付けられて外部との接続部分が前記本体ベースの他の面から突出する固定端子および可動端子を少なくとも一組み備えるとともに、前記接極子ブロックの回転により前記可動端子の一部を前記固定端子に対して接離するカードを備え、
前記電磁石ブロックは、前記本体ベースの一の面側から組み付けられることを特徴とする請求項１記載の電磁リレー。
【請求項３】
前記本体ベースの一の面に組み付けられて外部との接続部分が前記本体ベースの他の面から突出する固定端子および可動端子を少なくとも一組み備えるとともに、前記接極子ブロックの回転により前記可動端子の一部を前記固定端子に対して接離するカードを備え、
前記本体ベースは、自己の他の面側に、この他の面側から前記電磁石ブロックを組み付けるための開口部を有していることを特徴とする請求項１記載の電磁リレー。
【請求項４】
前記一の方向に沿う前記鍔部の厚みは、前記一の方向に沿う前記巻回部の寸法と、前記一の方向における前記鉄芯の端部に対する前記接極子ブロックの接触箇所の位置とで決まる範囲で厚くなるように設定されていることを特徴とする請求項１から３のいずれかに記載の電磁リレー。
【請求項５】
前記鍔部には前記本体ベースの部分に当たる突起が形成されていることを特徴とする請求項１から４のいずれかに記載の電磁リレー。
【請求項６】
前記電磁石ブロックと前記本体ベースとの固定部分に接着剤を塗布してなることを特徴とする請求項１から５のいずれかに記載の電磁リレー。
【発明の詳細な説明】
【技術分野】
【０００１】
本発明は、例えば、本体ベースに電磁石ブロックと各端子とを並設して構成されるフラット型の電磁リレーに関するものである。
【背景技術】
【０００２】
この種の電磁リレーは、従来より各種市販ないし提案されている。例えば、特許文献１には、一の方向に屈曲する両端部を有して成る継鉄と、継鉄における両端部間の中央部に巻回されるコイル部と、継鉄の両端部間に配置される永久磁石と、継鉄の両端部間の長さよりも長めに形成され、永久磁石に対して上記一の方向側に配置される接極子と、継鉄の両端部に対してそれぞれ接極子の両端側を揺動自在にして、永久磁石および接極子を一体に固定するヒンジバネとを備え、永久磁石と接極子との間に突部が設けられる電磁リレーが記載されている。
【特許文献１】特開２００１−１２６６０１号公報
【発明の開示】
【発明が解決しようとする課題】
【０００３】
ところで、上記電磁リレーは、固定端子としての固定接点バネブロックと、可動端子としての可動接点バネブロックとを一組み有する構成になっているが、それら端子を複数組み有するフラット型の電磁リレーを構成する場合には、一の電磁石ブロックで、複数組みの端子を接離しなければならない。
【０００４】
例えば、ボディ（本体ベース）の一の面上に電磁石ブロックを組み付け、本体ベースの一の面の法線を回転軸として回動自在に、電磁石ブロックを間に挟むように接極子ブロックを本体ベースに組み付け、接極子ブロックの回転により、各組みの可動端子の一部を固定端子に対して接離するカードを設ければ、一の電磁石ブロックで、複数組みの端子を接離することができる。
【０００５】
しかしながら、この構成では、電磁石ブロックが、接極子ブロックの回転によりその回転方向に沿う位置ずれを起こす恐れがあり、そのような位置ずれが起きると、端子と電磁石ブロックとの相対位置がずれることになり、諸特性が不安定となる。
【０００６】
本発明は、上記事情に鑑みてなされたものであり、接極子ブロックの回転により電磁石ブロックに位置ずれが発生するのを防止することができ、諸特性を安定させることができる電磁リレーを提供することを目的とする。
【課題を解決するための手段】
【０００７】
請求項１記載の発明の電磁リレーは、一の方向に伸びる中空の巻回部、この巻回部の両端にそれぞれ設けられる一対の鍔部、前記中空の巻回部および前記一対の鍔部内に挿入され両端部が前記一対の鍔部から突出する鉄芯、および前記巻回部の外周面に巻回されるコイルを含む電磁石ブロックと、前記鉄芯の一方の端部および他方の端部に対してそれぞれ前記一の方向に沿う前記鉄芯の両側から対向配置される一対の磁性体、およびこれら一対の磁性体間に配置される永久磁石を保持する接極子ブロックと、前記電磁石ブロックが組み付けられるとともに、前記鉄芯の両端部の間を貫く軸を回転軸として、前記鉄芯の一方の端部および他方の端部に対してそれぞれ前記一対の磁性体が回転自在に対向して接離するように前記接極子ブロックが組み付けられる本体ベースとを備え、前記本体ベース自体が、前記回転軸の一方から見て、前記一の方向に沿う前記鍔部の両側を固定していることを特徴とする。この構成では、鉄芯の両端部の間を貫く軸を回転軸として、鉄芯の両端部に接極子ブロックの一対の磁性体が回転して接触したとしても、本体ベース自体が、回転軸の一方から見て、上記一の方向に沿う鍔部の両側を固定しているので、接極子ブロックの回転により電磁石ブロックに位置ずれが発生するのを防止することができる。これにより、電磁リレーの諸特性を安定させることができる。また、電磁石ブロックに対する金属部品などの固定部材が不要となって小型化が可能となるほか、小型化などのために構造上どうしても固定部材などを使用するスペースを設けることができない場合にも、電磁石ブロックを好適に固定することができる。
【０００８】
請求項２記載の発明は、請求項１記載の電磁リレーにおいて、前記本体ベースの一の面に組み付けられて外部との接続部分が前記本体ベースの他の面から突出する固定端子および可動端子を少なくとも一組み備えるとともに、前記接極子ブロックの回転により前記可動端子の一部を前記固定端子に対して接離するカードを備え、前記電磁石ブロックは、前記本体ベースの一の面側から組み付けられることを特徴とする。この構成では、本体ベースに対して裏蓋などを設ける必要がなく、簡単な構造にできる。
【０００９】
請求項３記載の発明は、請求項１記載の電磁リレーにおいて、前記本体ベースの一の面に組み付けられて外部との接続部分が前記本体ベースの他の面から突出する固定端子および可動端子を少なくとも一組み備えるとともに、前記接極子ブロックの回転により前記可動端子の一部を前記固定端子に対して接離するカードを備え、前記本体ベースは、自己の他の面側に、この他の面側から前記電磁石ブロックを組み付けるための開口部を有していることを特徴とする。この構成では、各端子に対してコイルとの絶縁距離を確保し易くなる。
【００１０】
請求項４記載の発明は、請求項１から３のいずれかに記載の電磁リレーにおいて、前記一の方向に沿う前記鍔部の厚みは、前記一の方向に沿う前記巻回部の寸法と、前記一の方向における前記鉄芯の端部に対する前記接極子ブロックの接触箇所の位置とで決まる範囲で厚くなるように設定されていることを特徴とする。この構成では、一の方向に沿う鍔部の厚みが設計上許容される範囲で厚くなるように設定されるので、電磁石ブロックを強固に固定することが可能となる。
【００１１】
請求項５記載の発明は、請求項１から４のいずれかに記載の電磁リレーにおいて、前記鍔部には前記本体ベースの部分に当たる突起が形成されていることを特徴とする。この構成では、本体ベースにおける鍔部の両側を固定する部分に、金型の抜き勾配が発生したとしても、鍔部に形成された突起により圧入力の減少を防ぐことができるので、本体ベースに電磁石ブロックを確実に固定することができる。また、本体ベースへの電磁石ブロックの組み付け初期時には本体ベースに電磁石ブロックを無理矢理に押し入れることなく軽く組み付けていくことができ、組み付け完了直前に突起等による圧入を利かせて本体ベースに電磁石ブロックを固定することができるので、組み付け性が良いという効果がある。
【００１２】
請求項６記載の発明は、請求項１から５のいずれかに記載の電磁リレーにおいて、前記電磁石ブロックと前記本体ベースとの固定部分に接着剤を塗布してなることを特徴とする。この構成では、接着剤硬化までに、電磁石ブロックの位置を安定させることができる。また、圧入構造でない場合には、冶具にて電磁石ブロックを固定する必要があるが、圧入構造であるため、冶具による固定工程が必要なく容易に組み立てることができる。
【発明の効果】
【００１３】
本発明によれば、接極子ブロックの回転により電磁石ブロックに位置ずれが発生するのを防止することができ、諸特性を安定させることができる。
【発明を実施するための最良の形態】
【００１４】
（実施形態１）
図１は本発明による実施形態１の電磁リレーを、ケースカバーを外した状態で前面側から見た一部分解図、図２は同電磁リレーを、ケースカバーを外した状態で上面側から見た図、図３は図２の状態から接極子ブロックを外した状態の上面図、図４は図３の状態から軸芯部品を上方に離して左方側から見た断面図、図５は図３の状態から軸芯部品を外し電磁石ブロックを前方に離した状態で上面側から見た図である。
【００１５】
実施形態１の電磁リレーは、図１，図２に示すように、４×ノーマリオープン、２×ノーマリクローズの接点機構を持つフラット型の電磁リレーであり、電磁石ブロック１と、軸芯部品２と、接極子ブロック３と、６組みの固定端子４および可動端子５と、複数のカード６と、本体ベース７および図略のケースカバー（後述の図６の８参照）により構成されるハウジングとを備えている。
【００１６】
電磁石ブロック１は、図１〜図３に示すように、端子一体型のコイルボビン１０と、磁性体である鉄芯１１と、左右方向（一の方向）に巻回されるコイル１２とにより構成されている。
【００１７】
コイルボビン１０は、図１，図４に示すように、左右方向に伸び例えば下方に切欠けを持つ断面Ｕ字状に形成される中空の巻回部（図１ではコイル１２の下に隠れている）と、その巻回部の両端の各々に一体成形され例えば下方に切欠けを持つ断面Ｕ字状の鍔部１０１と、これらの各鍔部１０１から左右方向の外側に延設され、Ｌ字状の端子１３の中央部を、その端子１３の一端が下方に突出するように保持する端子部１０２とを、樹脂（絶縁樹脂）成形により一体に有するとともに、巻回部および一対の鍔部１０１，１０１の各切欠けを塞ぐ樹脂製の閉塞部１０３を有する構成になっている。なお、図１において、Ｔは鍔部１０１の厚みである。
【００１８】
鉄芯１１は、図１，図２に示すように、両端部１１１，１１１が同一方向（図１では上方）に屈曲するコ字形で断面矩形状に形成され、両端部１１１，１１１が屈曲する方向から見て、一方（例えば左方）の端部１１１における左右方向に沿う一の面（例えば後面）および他方（右方）の端部１１１における左右方向に沿う他の面（前面）に、それぞれ一対のレシジュアルプレート１４，１４が例えばスポット溶接により固着されている。
【００１９】
コイル１２は、例えばエナメル線などの絶縁被膜付きの導体線をコイルボビン１０の巻回部の外周面に複数層に巻回したものである。なお、図１において、Ｗはコイル１２の巻幅である。
【００２０】
上記構成の電磁石ブロック１は、コイルボビン１０の巻回部および一対の鍔部１０１，１０１内に鉄芯１１の中央部を収めて、巻回部および一対の鍔部１０１，１０１の各切欠けを閉塞部１０３で塞ぎ、コイルボビン１０の巻回部の外周面にコイル１２を設け、このコイル１２の両端を一対の端子１３，１３の他端にそれぞれ接続することにより構成される。
【００２１】
軸芯部品２は、図１，図３，図４に示すように、鉄芯１１の両端部１１１，１１１が屈曲する方向から、電磁石ブロック１のコイル１２の中央部を両端部２１，２１で跨ぐ断面コ字状に形成され、両端部２１，２１間の中央部２０に、上方に突設された円筒状の軸芯２００を有している。また、各端部２１は、２つのスリットにより左右方向に３つに分割されている。
【００２２】
接極子ブロック３は、図１〜図４に示すように、鉄芯１１の一方の端部１１１および他方の端部１１１に対してそれぞれ左右方向に沿う鉄芯１１の両側から対向配置される一対の鉄板３１，３１と、これら一対の鉄板３１，３１間に配置される２個の永久磁石（図示せず）と、これら一対の鉄板３１，３１および２個の永久磁石を樹脂成形により一体に保持する保持部３０とにより構成されている。
【００２３】
具体的には、鉄板３１は、左右方向に伸びる基部３１０と、この基部３１０の一端から下方に屈曲する屈曲部３１１とを一体に有するＬ字状に形成され、一方（例えば左方）の屈曲部３１１および他方（右方）の屈曲部３１１は、それぞれ一方（左方）の端部１１１の他の面（前面）および他方（右方）の端部１１１の一の面（後面）にそれぞれ対向配置される。図１の例では、後側の鉄板３１の屈曲部３１１と、前側の鉄板３１の基部３１０とが見えており、それらの鉄板３１，３１間に２個の永久磁石が配置される。保持部３０は、鉄芯１１の両端部１１１，１１１が屈曲する方向から見て、両端部１１１，１１１の各々を一対の腕３０１，３０１で挟むＨ字状に形成されており、軸芯部品２の軸芯２００が填る軸孔３０ａを中央に有している。
【００２４】
上記構成の接極子ブロック３は、両端部１１１，１１１が屈曲する方向から、保持部３０の軸孔３０ａに軸芯部品２の軸芯２００を填め込みながら、コイル１２の中央部を跨ぐ軸芯部品２の中央部２０上に載置され、軸芯２００を回転軸として回転自在となる。
【００２５】
固定端子４は、図１〜図４に示すように、鉄芯１１における各端部１１１の一の面（後面）側を向く端子板４１と、この端子板４１の一の面または他の面に固着される固定接点４０と、端子板４１の下端から下方に延設される端子ピン４２とを一体に有する形状に形成されている。一方、可動端子５は、左右方向に伸びばね性を有する可動片５１と、この可動片５１の一端に固着され、対応する固定端子４の固定接点４０と接離自在に対向配置される可動接点５０と、可動片５１の他端側から下方に延設される端子ピン５２とを一体に有する形状に形成されている。
【００２６】
カード６は、接極子ブロック３の回転により各組みの可動端子５の可動接点５０を固定端子４の固定接点４０に対して接離するものであり、図２の例では、３個のカード６が使用されている。そして、左方のカード６は、前側に上方を向く櫛刃を有するとともに後側に下方を向く複数の櫛刃を持つ形状に形成され、接極子ブロック３の左方における後側の腕３０１に係止して接極子ブロック３の回転に従動し、その接極子ブロック３の回転により左方の各組みの可動端子５の可動接点５０を固定端子４の固定接点４０に対して接離するようになっている。一方、右方のカード６，６は、下方を向く複数の櫛刃を持つ形状に形成され、接極子ブロック３に従動せずに、上方から見て接極子ブロック３の反時計周りの回転により後方に押されるようになっている。
【００２７】
本体ベース７は、図５に示すように、樹脂により左右方向に伸びる矩形状に形成されている。本体ベース７の一の面（上面）には、この面を前面側と後面側とに分離して、それぞれに電磁石ブロック１、軸芯部品２および接極子ブロック３と、６組みの固定端子４および可動端子５とを配置するための左右方向に伸びる隔壁７０が形成されているほか、各固定端子４の端子板４１の他の面（前面）側に隔壁７１が形成されている。なお、図５の例では、本体ベース７の上面における後面側に配置されている各固定端子４のうち、右方の中央における固定端子４の前面側には、隔壁７１が除去されているが、隔壁７１を設ける構成でも構わない。
【００２８】
また、本体ベース７には、各端子１３の一端、各固定端子４の端子ピン４２および各可動端子５の端子ピン５２を挿通するための複数の挿通孔が穿設されている。また、本体ベース７の一の面における前面側には、軸芯部品２の各端部２１における３つに分割された先端部とそれぞれ嵌合するための凹部７２，７２，７２が形成されている。さらに、実施形態１の特徴として、本体ベース７自体が、図４，図５に示すように、上記回転軸の一方から見て、左右方向に沿う各鍔部１０１の両側を固定する構造になっている。すなわち、本体ベース７には、上記回転軸の一方から見て、左右方向に沿う各鍔部１０１の両側をそれぞれ固定するリブ７３，７３が形成されているのである。
【００２９】
一方、本体ベース７とともにハウジングを構成するケースカバー８は、樹脂により下方に開口を有する箱状に形成され、本体ベース７の一の面を覆うようになっている。
【００３０】
図６は上記電磁リレーの組み立て手順例を示す図であり、この図をさらに参照しながら上記組み立て手順について説明する。先ず、図５，図６（ａ）に示すように、各組みの固定端子４および可動端子５を、本体ベース７の上面における後面側の所定位置に圧入にて組み付ける。このとき、図５の例では、左方における前、中央、後側の３組みの固定端子４および可動端子５はいずれも閉状態になっている一方、右方における前、中央、後側の３組みの固定端子４および可動端子５は、それぞれ閉、開、開の状態になっている。
【００３１】
その後、本体ベース７の上面における前面側の２箇所Ａ，Ａに接着剤を塗布し、図４，図６（ｂ）に示すように、本体ベース７の前面側の各挿通孔に、電磁石ブロック１の各端子１３の一端側を挿通しながら、電磁石ブロック１を本体ベース７の上面における前面側の所定位置に組み付ける。このとき、上下方向の一方から見て、左右方向に沿う各鍔部１０１の両側が本体ベース７に形成されたリブ７３，７３によりそれぞれ固定される。ここで、接着剤は、本体ベース７の上部から塗布され、また本体ベース７の裏側に設けられた接着剤流し込み用孔を通じて、本体ベース７の裏側から塗布される。
【００３２】
その後、軸芯部品２を、鉄芯１１の両端部１１１，１１１が屈曲する方向からコイル１２の中央部を両端部２１，２１で跨ぐようにしながら、本体ベース７の上面における前面側の所定位置に組み付ける。このとき、軸芯部品２の各端部２１における３つに分割された先端部を、本体ベース７の凹部７２，７２，７２にそれぞれ嵌合する。
【００３３】
その後、図２，図６（ｂ）に示すように、接極子ブロック３を、この保持部３０の軸孔３０ａに軸芯部品２の軸芯２００を填め込みながら、軸芯部品２の中央部２０上に載置する。これにより、接極子ブロック３は、軸芯２００を回転軸として回転自在となり、鉄芯１１の一方の端部１１１および他方の端部１１１に対してそれぞれ一対の鉄板３１，３１の屈曲部３１１，３１１が回転自在に対向して接離するようになる。
【００３４】
そして、着磁、端子シール・硬化、ブラシ洗浄および接点圧調整を経た後、図２，図６（ｃ），（ｄ）に示すように、本体ベース７の上面における後面側の所定位置に、左方のカード６および右方のカード６，６を順次組み付ける。このとき、図２の例では、左方における前、中央、後側の３組みの固定端子４および可動端子５は、それぞれノーマリオープン、ノーマリオープン、ノーマルクローズの状態になり、閉状態であった前、中央側の可動片５１，５１が、接極子ブロック３に従動する左方のカード６に係止してこれを前方に付勢する状態となる。一方、右方における前、中央、後側の３組みの固定端子４および可動端子５は、それぞれノーマリクローズ、ノーマリオープン、ノーマルオープンの状態になり、各可動片５１が右方の各カード６を前方に付勢する状態となる。
【００３５】
そして、ブラシ洗浄、特性調整およびブラシ洗浄を経た後、図６（ｅ）に示すように、本体ベース７の一の面をケースカバー８で覆い、ケースシール・硬化、二次シール、端子予備半田、捺印・ＵＶ乾燥、エージング検査、特性検査、リーク検査および外観チェック・包装を順次行う。これにより、電磁リレーの組み立てが完了する。
【００３６】
次に、実施形態１の電磁リレーの基本的な動作について説明する。図２に示すように、オン（ＯＮ）時には、鉄芯１１の両端部１１１，１１１が屈曲する方向から見て反時計回りに接極子ブロック３が回転する。これにより、左方のカード６が接極子ブロック３により前方に引っ張られ、左方における前、中央、後側の３組みの固定端子４および可動端子５が、それぞれ閉、閉、開の状態に切り替わる。一方、右方のカード６，６は接極子ブロック３により後方に押され、右方における前、中央、後側の３組みの固定端子４および可動端子５が、それぞれ開、閉、閉の状態に切り替わる。
【００３７】
オフ（ＯＦＦ）時には、鉄芯１１の両端部１１１，１１１が屈曲する方向から見て時計回りに接極子ブロック３が回転する。これにより、左方のカード６が接極子ブロック３により後方に押され、左方における前、中央、後側の３組みの固定端子４および可動端子５が、それぞれ開、開、閉の状態に切り替わる。一方、右方のカード６，６は自己に係止する可動片５１により前方に押され、右方における前、中央、後側の３組みの固定端子４および可動端子５が、それぞれ閉、開、開の状態に切り替わる。
【００３８】
以上、実施形態１によれば、鉄芯１１の両端部１１１，１１１の間を貫く軸を回転軸として、鉄芯１１の両端部１１１，１１１に接極子ブロック３の一対の鉄板３１，３１が回転して接触したとしても、本体ベース７自体が、回転軸の一方から見て、一の方向に沿う各鍔部１０１の両側を固定しているので、接極子ブロック３の回転により電磁石ブロック１に位置ずれが発生するのを防止することができる。具体的には、図４に示すように、鉄芯１１の端部１１１に対してＢのような荷重がかかる場合に、範囲Ｃで電磁石ブロック１を固定したとすると、電磁石ブロック１に位置ずれが発生するおそれがあるが、鍔部１０１の垂直面となる範囲Ｄで電磁石ブロック１を固定することにより、電磁石ブロック１に位置ずれが発生するのを防止することができる。これにより、電磁リレーの諸特性を安定させることができる。
【００３９】
また、電磁石ブロック１に対する金属部品などの固定部材が不要となって小型化が可能となるほか、小型化などのために構造上どうしても固定部材などを使用するスペースを設けることができない場合にも、電磁石ブロック１を好適に固定することができる。
【００４０】
また、各組みの固定端子４および可動端子５などが組み付けられる本体ベース７の一の面側から、電磁石ブロック１が本体ベース７に組み付けられるので、本体ベース７に対して裏蓋などを設ける必要がなく、簡単な構造にできる。
【００４１】
さらに、電磁石ブロック１と本体ベース７との固定部分に接着剤が塗布されるので、接着剤硬化までに、電磁石ブロックの位置を安定させることができる。また、圧入構造でない場合には、冶具にて電磁石ブロック１を固定する必要があるが、圧入構造であるため、冶具による固定工程が必要なく容易に組み立てることができる。
【００４２】
なお、実施形態１では、コイルボビン１０における巻回部および一対の鍔部１０１，１０１は、鉄芯１１がコ字状であるために切欠けを持つ断面Ｕ字状になっているが、鉄芯１１が例えば柱状である場合には、巻回部を筒状に形成し、各鍔部を輪状に形成するようにしてもよい。
【００４３】
（実施形態２）
本発明による実施形態２の電磁リレーは、実施形態１の電磁リレーにおいて、図１に示すように、左右方向に沿う各鍔部１０１の厚みＴが、左右方向に沿う巻回部の寸法（巻幅Ｗ）と、左右方向における鉄芯１１の端部１１１に対する接極子ブロック３の接触箇所の位置とで決まる範囲で厚くなるように設定されていることを特徴とする。
【００４４】
各鍔部１０１の厚みＴは、鍔部１０１の幅（図５では上下方向の長さ）の約１／５に設定される。また、本体ベース７の各リブ７３は、回転軸の一方から見て、左右方向に沿う各鍔部１０１の両側の垂直面を含む大きさに設定される。
【００４５】
実施形態２によれば、左右方向に沿う各鍔部１０１の厚みＴが設計上許容される範囲で厚くなるように設定されるので、本体ベース７に電磁石ブロック１をより強固に固定することが可能となる。
【００４６】
（実施形態３）
図７は本発明による実施形態３の電磁リレーの特徴部分を示す拡大図であり、図４の一部に対応する。
【００４７】
実施形態３の電磁リレーは、実施形態１，２の電磁リレーにおいて、各鍔部１０１の接極子ブロック３側に、本体ベース７のリブ７３に当たる押し潰し用の突起１０１ａが形成されていることを特徴とする。
【００４８】
ここで、本体ベース７の一の面側における各鍔部１０１の両側を固定するリブ７３に、金型の抜き勾配（図７（ａ）のＦ＞Ｅ参照）が発生したとしても、各鍔部１０１に形成された突起１０１ａにより圧入力の減少を防ぐことができるので、本体ベース７に電磁石ブロック１を確実に固定することができる。また、本体ベース７の一の面側への電磁石ブロック１の組み付け初期時には本体ベース７に電磁石ブロック１を無理矢理に押し入れることなく軽く組み付けていくことができ、組み付け完了直前に突起１０１ａ等による圧入を利かせて本体ベース７に電磁石ブロック１を固定することができるので、組み付け性が良くなる。
【００４９】
図７（ａ），（ｂ）は、前側のリブ７３に金型の抜き勾配が発生する場合の構成例であり、各鍔部１０１の前側の面に突起１０１ａが形成されている。図７（ｃ）は、前側および後側のリブ７３，７３に金型の抜き勾配が発生する場合の構成例であり、各鍔部１０１の前側および後側の両面にそれぞれ突起１０１ａ，１０１ａが形成されている。
【００５０】
（実施形態４）
図８は本発明による実施形態４の電磁リレーの構成図であり、（ａ）は同電磁リレーの断面図、（ｂ）は同電磁リレーの上面図、（ｃ）は同電磁リレーの下面図である。
【００５１】
実施形態４の電磁リレーは、実施形態１〜３との相違点として、図８に示すように、各組みの固定端子４および可動端子５などが組み付けられる本体ベース７の一の面に対して裏面となる他の面側から、電磁石ブロック１を本体ベース７に組み付けることを特徴とする。
【００５２】
図８（ａ）の例では、本体ベース７の他の面側には、この他の面側から電磁石ブロック１を組み付けるための開口部７ａが形成され、この開口部７ａは、各隅にＲの付いた四角形状の鍔部１０１の外周縁における上部およびこれを挟む両側部を囲繞する断面Ｕ字状の凹所７ｂの開口部となっている。開口部７ａは、裏蓋９により閉塞される。また、本体ベース７における一の方向に伸びる凹所７ｂの両側には、鉄芯１１の両端部１１１，１１１を挿通するための一対の挿通孔がそれぞれ穿設される。
【００５３】
この他の相違点として、電磁石ブロック１の一対の端子１３，１３は、一の方向の片側（図８（ｃ）では下側）に設けられている。また、固定端子４および可動端子５は、各鍔部１０１の回転方向の両側にそれぞれ２組み設けられ、合計８組み設けられている。そして、合計８組みの固定端子４および可動端子５を接離するべく、各鍔部１０１の回転方向の両側にそれぞれカード６，６が配置され、合計４個のカードが配置されている。
【００５４】
なお、接極子ブロック３の組み付けについては、凹所７ｂの隔壁７ｃを跨ぐようにして本体ベース７の一の面側に軸芯部品２を組み付け、接極子ブロック３の保持部３０の軸孔３０ａに軸芯部品２の軸芯２００を填め込みながら、軸芯部品２の中央部２０上に接極子ブロック３を載置してこれを回転自在となるようにしてもよい。あるいは、凹所７ｂの隔壁７ｃの上部に軸芯を一体的に設け、この軸芯を保持部３０の軸孔３０ａに填め込みながら、凹所７ｂの隔壁７ｃの上部に接極子ブロック３を載置してこれを回転自在となるようにしてもよい。
【００５５】
以上、実施形態４によれば、隔壁７ｃにより各組みの固定端子４および可動端子５に対してコイル１２との絶縁距離を確保し易くなる。また、隔壁７ｃに加えて、開口部７ａを塞ぐ裏蓋９を設けることにより、鍔部１０１の外周縁の全周を固定することが可能となるので、電磁リレーの諸特性をより一層安定させることができる。さらに、軸芯部品を本体ベース７に一体化することも可能となる。
【図面の簡単な説明】
【００５６】
【図１】本発明による実施形態１の電磁リレーを、ケースカバーを外した状態で前面側から見た一部分解図である。
【図２】同電磁リレーを、ケースカバーを外した状態で上面側から見た図である。
【図３】図２の状態から接極子ブロックを外した状態の上面図である。
【図４】図３の状態から軸芯部品を上方に離して左方側から見た断面図である。
【図５】図３の状態から軸芯部品を外し電磁石ブロックを前方に離した状態で上面側から見た図である。
【図６】同電磁リレーの組み立て手順例を示す図である。
【図７】本発明による実施形態３の電磁リレーの特徴部分を示す拡大図である。
【図８】本発明による実施形態４の電磁リレーの構成図である。
【符号の説明】
【００５７】
１  電磁石ブロック
１０  コイルボビン
１０１  鍔部
１０１ａ  突起
１０２  端子部
１０３  閉塞部
１１  鉄芯
１２  コイル
１３  端子
１４  レシジュアルプレート
２  軸芯部品
３  接極子ブロック
３０  保持部
３１  鉄板
４  固定端子
５  可動端子
６  カード
７  本体ベース
８  ケースカバー
９  裏蓋
【図１】
2005050655.tif 000003
【図２】
2005050655.tif 000004
【図３】
2005050655.tif 000005
【図４】
2005050655.tif 000006
【図５】
2005050655.tif 000007
【図６】
2005050655.tif 000008
【図７】
2005050655.tif 000009
【図８】
2005050655.tif 000010